(57)【特許請求の範囲】
【請求項１】
本体ケースと、
前記本体ケースに収容され、ミストを生成するミスト生成部と、
前記ミスト生成部で生成したミストの放出方向を変更するようにノズル回動軸を中心として回動可能なミストノズルと、
少なくとも前記ミストノズルを覆う第１位置と、前記第１位置よりも前記ミストノズルから離れる方向に変位した第２位置との間で前記ノズル回動軸の軸線方向に沿う軸線を中心として回動可能な保護具とを備え、
前記保護具が前記第１位置のときに前記ミストノズルが前記本体ケースに収容され、前記保護具が前記第２位置のときに前記ミストノズルが前記本体ケースから突出するミスト発生装置であって、
前記保護具と一体に設けられ、前記ノズル回動軸の軸線方向に沿う軸線を中心として前記保護具と一体に回動する扇状の第１の歯車と、
前記ミストノズルと一体に設けられ、前記ノズル回動軸を中心として前記ミストノズルと一体に回動する第２の歯車と、
前記第１の歯車及び前記第２の歯車と駆動連結され、前記ノズル回動軸の軸線方向に沿う軸線を中心として回動することにより、前記第１の歯車の回動を前記第２の歯車に伝達する第３の歯車と
を備えたことを特徴とするミスト発生装置。
【請求項２】
請求項１に記載のミスト発生装置において、
前記第３の歯車は、前記第１の歯車及び前記第２の歯車に対して噛合することにより駆動連結されることを特徴とするミスト発生装置。
【請求項３】
請求項２に記載のミスト発生装置において、
前記第３の歯車は、
前記第２の歯車に対して噛合する歯部が形成された噛合部と、
前記第２の歯車に対して噛合する歯部が形成されない非噛合部と
を有し、
前記非噛合部は、前記第１位置から前記第２位置への前記保護具の回動時における前記第１の歯車に連動して回動する前記第３の歯車の回動方向において前記噛合部よりも回動方向前方側に配置されることを特徴とするミスト発生装置。
【請求項４】
請求項３に記載のミスト発生装置において、
前記第３の歯車の外周面には、その周方向における前記噛合部と前記非噛合部との間に凹溝が形成され、
前記第２の歯車の外周面には、その径方向外側に突出した凸部が形成され、
前記凸部は、前記第１位置から前記第２位置への前記保護具の回動時における前記第１の歯車に連動して回動する前記第３の歯車の前記凹溝の内側面に対して、前記ノズル回動軸を中心とした周方向において係合することを特徴とするミスト発生装置。
【請求項５】
ミストを放出して肌表面の手入れを行う美容装置において、
請求項１〜請求項４のうち何れか一項に記載のミスト発生装置を有することを特徴とする美容装置。
【発明の詳細な説明】
【技術分野】
【０００１】
本発明は、ミスト発生装置、及びこのミスト発生装置を有する美容装置に関するものである。
【背景技術】
【０００２】
従来、水等の液体を加熱して生成したミストを顔等の人体に向けて放出することにより、肌に潤いを与える等の美容効果や肌ケアを目的としたミスト発生装置が知られている（例えば、特許文献１参照）。
【０００３】
特許文献１に記載のミスト発生装置では、比較的高温のミストを放出しているミストノズルに使用者の手が直接触れることを抑制するために保護具が設けられている。この保護具は、ミストノズルからの距離を規制しつつミストノズルを露出させる開位置と、ミストノズルを覆う閉位置との間で回動可能に構成されている。
【０００４】
また、上記のミスト発生装置では、ミストノズルと保護具とがリンク機構を介して連結されている。そのため、保護具が開位置と閉位置との間で回動すると、保護具の回動がリンク機構を介してミストノズルに伝達される結果、保護具に連動してミストノズルが回動する。したがって、保護具の回動操作を通じてミストノズルの角度を調整することが可能となっている。
【先行技術文献】
【特許文献】
【０００５】
【特許文献１】特開２０１１−８７９０９号公報
【発明の概要】
【発明が解決しようとする課題】
【０００６】
ところで、上記のミスト発生装置では、保護具が開位置と閉位置との間で回動した場合に、リンク機構が保護具の回動軸線と交差する方向に変位しつつ保護具の回動をミストノズルに伝達する。そのため、保護具の回動操作時においてリンク機構が通過するための空間域を確保する必要があるため、装置全体が大型化してしまうという問題があった。
【０００７】
本発明は、このような事情に鑑みてなされたものであり、その目的は、装置全体の大型化を抑制しつつ、保護具とミストノズルとを連動して動作させることができるミスト発生装置及び美容装置を提供することにある。
【課題を解決するための手段】
【０００８】
上記目的を達成するために、本発明のミスト発生装置は、本体ケースと、前記本体ケースに収容され、ミストを生成するミスト生成部と、前記ミスト生成部で生成したミストの放出方向を変更するようにノズル回動軸を中心として回動可能なミストノズルと、少なくとも前記ミストノズルを覆う第１位置と、前記第１位置よりも前記ミストノズルから離れる方向に変位した第２位置との間で前記ノズル回動軸の軸線方向に沿う軸線を中心として回動可能な保護具とを備え、前記保護具が前記第１位置のときに前記ミストノズルが前記本体ケースに収容され、前記保護具が前記第２位置のときに前記ミストノズルが前記本体ケースから突出するミスト発生装置であって、前記保護具と一体に設けられ、前記ノズル回動軸の軸線方向に沿う軸線を中心として前記保護具と一体に回動する扇状の第１の歯車と、前記ミストノズルと一体に設けられ、前記ノズル回動軸を中心として前記ミストノズルと一体に回動する第２の歯車と、前記第１の歯車及び前記第２の歯車と駆動連結され、前記ノズル回動軸の軸線方向に沿う軸線を中心として回動することにより、前記第１の歯車の回動を前記第２の歯車に伝達する第３の歯車とを備えた。
【０００９】
また、上記構成において、前記第３の歯車は、前記第１の歯車及び前記第２の歯車に対して噛合することにより駆動連結されることが好ましい。
また、上記構成において、前記第３の歯車は、前記第２の歯車に対して噛合する歯部が形成された噛合部と、前記第２の歯車に対して噛合する歯部が形成されない非噛合部とを有し、前記非噛合部は、前記第１位置から前記第２位置への前記保護具の回動時における前記第１の歯車に連動して回動する前記第３の歯車の回動方向において前記噛合部よりも回動方向前方側に配置されることが好ましい。
【００１０】
また、上記構成において、前記第３の歯車の外周面には、その周方向における前記噛合部と前記非噛合部との間に凹溝が形成され、前記第２の歯車の外周面には、その径方向外側に突出した凸部が形成され、前記凸部は、前記第１位置から前記第２位置への前記保護具の回動時における前記第１の歯車に連動して回動する前記第３の歯車の前記凹溝の内側面に対して、前記ノズル回動軸を中心とした周方向において係合することが好ましい。
【００１２】
また、本発明の美容装置は、ミストを放出して肌表面の手入れを行う美容装置において、上記構成のミスト発生装置を有する。
【発明の効果】
【００１３】
本発明によれば、装置全体の大型化を抑制しつつ、保護具とミストノズルとを連動して動作させることができる。
【図面の簡単な説明】
【００１４】
【図１】本発明に係る実施形態の美容器の斜視図であって、（ａ）はノズルガードが開位置に配置された状態を示す斜視図、（ｂ）はノズルガードが閉位置に配置された状態を示す斜視図。
【図２】同実施形態の美容器を前後に切断して左側から見た断面図。
【図３】図２の３−３線矢視断面図。
【図４】図２の要部拡大図。
【図５】同実施形態の美容器を前後に切断して左側から見た要部拡大断面図。
【図６】同実施形態の美容器を前後に切断して右側から見た要部拡大断面図。
【図７】同実施形態の美容器における制御装置の斜視図。
【図８】ノズルガードが閉位置に配置された状態の美容器を前後に切断して左側から見た要部拡大断面図。
【図９】ノズルガードが閉位置に配置された状態の美容器を前後に切断して右側から見た要部拡大断面図。
【図１０】ノズルガードが境界位置に配置された状態の美容器を前後に切断して左側から見た要部拡大断面図。
【図１１】ノズルガードが境界位置に配置された状態の美容器を前後に切断して右側から見た要部拡大断面図。
【図１２】ノズルガードが開位置に配置された状態の美容器を前後に切断して左側から見た要部拡大断面図。
【図１３】ノズルガードが開位置に配置された状態の美容器を前後に切断して右側から見た要部拡大断面図。
【発明を実施するための形態】
【００１５】
以下、本発明を美容器に具体化した一実施形態を図面に従って説明する。なお、以下の説明において、「前（手前）」「後」「上」「下」「左」「右」は、美容器の使用者が、美容器を使用する際に美容器に向いた状態を基準とした場合の「前（手前）」「後」「上」「下」「左」「右」を示すものとする。
【００１６】
図１（ａ）及び図１（ｂ）に示すように、本実施形態の美容器１０は、有底略円筒状の本体ケース１１を備えており、この本体ケース１１には美容器本体１２が収容されて固定されている。美容器本体１２における上ハウジング１３の上面の前側中央部には、上方に開口する開口部１４が形成されている。上ハウジング１３には、この開口部１４と整合させて凹部１５を形成するベース部材１６が組み付けられている。
【００１７】
ベース部材１６には、美容器本体１２に対してノズル回動軸としての支持軸（図示略）を介して回動自在にミストノズル１７が取着されている。ミストノズル１７は、美容器本体１２に対して所定の角度範囲内で上下方向に回動可能となっている。また、ミストノズル１７には、温ミストを放出するミスト放出口１８の周りを覆うように形成されたノズルカバー１９が一体形成されている。そして、ミストノズル１７を上下方向に回動させることで、ミスト放出口１８から放出される温ミストの放出方向を上下方向に調整可能となっている。
【００１８】
ノズルカバー１９におけるミスト放出口１８の下方には、正面視略Ｕ字状のミストガイド２０がノズルカバー１９の外面の法線方向に延設されている。ミストガイド２０は、ミスト放出口１８の下方及び左右側方を囲うように形成されており、左右方向及び下方向から使用者の手指がミスト放出口１８に接近することを規制している。
【００１９】
また、ベース部材１６におけるミストノズル１７の後方には、ミストノズル１７を保護するための保護具としてノズルガード２１が上下方向に回動可能に取着されている。ノズルガード２１は、略半円形の平板状に形成されている。そして、ノズルガード２１は、図１（ａ）に示すようにミストノズル１７を露出させて美容器１０を使用可能な開位置（第２位置）と、図１（ｂ）に示すようにミストノズル１７を覆う閉位置（第１位置）との間で上下に回動可能となっている。なお、開位置に配置されたノズルガード２１は、ミストノズル１７のミスト放出口１８からの距離（使用者とミスト放出口１８との距離）を規制することにより、使用者の手がミスト放出口１８に直接触れることを抑制する。
【００２０】
また、ノズルガード２１の後側には、ミストノズル１７から放出する温ミストを発生するのに使用される液体としての水を貯留する貯留タンクとしての給水タンク２２が、美容器本体１２に対し上下方向（鉛直方向）に挿入及び取り出し可能に収納されている。
【００２１】
また、上ハウジング１３の上面におけるミストノズル１７の左前方には、美容器１０の電源をオンオフする際に操作される電源ボタン２３が設けられている。また、上ハウジング１３の上面におけるミストノズル１７の右前方には、複数種類用意された美容器１０の運転モードのうちから１つの運転モードを選択する際に操作されるモード切替ボタン２４が設けられている。また、上ハウジング１３の上面においてモード切替ボタン２４に対して前後に隣り合う位置には、モード切替ボタン２４の操作によって選択された運転モードで美容器１０の運転を開始させる際や美容器１０の運転を停止させる際に操作される運転制御ボタン２５が設けられている。
【００２２】
また、美容器１０の前面における略中央の高さ位置には、帯電微粒子液体発生機構２６により液体を霧化させて発生させた帯電微粒子液体を放出するための帯電微粒子液体放出口２７が設けられている。
【００２３】
次に、美容器本体１２の配管構成について図２及び図３に従って説明する。
図２に示すように、美容器本体１２には、上ハウジング１３の上面に開口し、給水タンク２２を収納可能なタンクホルダ３０が設けられている。タンクホルダ３０の背部には略Ｕ字状の排水口３１が凹設されている。そして、タンクホルダ３０内の水位が排水口３１の底部まで上昇した際には、タンクホルダ３０内の水が排水口３１を通じて外部に排出される。
【００２４】
また、タンクホルダ３０には、給水タンク２２を固定するためのタンクフック３２が設けられている。タンクフック３２は、バネ３３によってタンクホルダ３０に向けて付勢されている。そして、給水タンク２２がタンクホルダ３０に装着されると、タンクフック３２がバネ３３からの付勢力に基づいて給水タンク２２の側面に設けられた溝３４に対して係止することにより、給水タンク２２がタンクホルダ３０に固定される。
【００２５】
また、タンクホルダ３０には、装着される給水タンク２２の下方中央位置に軸受け筒３５が設けられている。軸受け筒３５は、その外周面を基端として前後左右に十字状のリブ３６が延出され、そのリブ３６の先端がタンクホルダ３０に連結されている。
【００２６】
また、タンクホルダ３０の底部には導出口３７が貫通形成されていると共に、この導出口３７と連通する供給パイプ３８が前方に向かって一体形成されている。導出口３７には、供給パイプ３８を貫通した給水バー３９が貫挿されている。給水バー３９の先端部は、軸受け筒３５内を軸方向に移動可能に貫挿支持されている。また、給水バー３９には、タンクホルダ３０の導出口３７を閉塞する止水パッキン４０が取り付けられている。また、止水パッキン４０と軸受け筒３５との間にはバネ４１が縮設されている。そのため、給水バー３９は、バネ４１の弾性力によって下方に付勢されている。したがって、美容器１０が水平面に置かれたとき、給水バー３９はバネ４１の弾性力に抗して上動する。一方、美容器１０が持ち上げられて水平面に置かれていない状態では、給水バー３９はバネ４１からの付勢力に基づいて下動することにより、基端が美容器１０の底部から下方に突出する。そして、美容器１０が水平面に置かれると、底部から突出していた給水バー３９が押し込まれて上動することにより、止水パッキン４０の上動に伴って導出口３７が開放される。その結果、給水タンク２２内の水は、供給パイプ３８を通じてミスト生成部としてのミスト発生ユニット４２（図３参照）に供給される。
【００２７】
なお、給水バー３９の基端部には、傾斜検知マイクロスイッチバー４３が取り付けられている。傾斜検知マイクロスイッチバー４３は、給水バー３９が押し込まれて上動すると、給水バー３９と一体となって上動する。そして、傾斜検知マイクロスイッチバー４３が所定の位置まで上動すると、タンクホルダ３０に取り付けられた傾斜検知マイクロスイッチ４４が傾斜検知マイクロスイッチバー４３を検出し、その検出信号を制御装置４５（図７参照）に出力する。この構成により、傾斜検知マイクロスイッチ４４は、給水バー３９が押し込まれているか否か、即ち、美容器１０が水平面に置かれているか否かを検出する。そして、制御装置４５は、美容器１０が水平面に置かれている旨を示す検出信号が傾斜検知マイクロスイッチ４４から出力されていない場合には、ミスト発生ユニット４２に設けられたヒータ４６（図３参照）への通電を停止させる。
【００２８】
図３に示すように、ミスト発生ユニット４２は、合成樹脂よりなるミスト発生本体４７を有し、ミスト発生本体４７の下側に供給パイプ３８が連結されている。ミスト発生本体４７は、左側面が凹設され、上下方向に開口した開口凹部４９が形成されている。ミスト発生本体４７の右側面には、上下方向に延びる復水路５０が設けられている。復水路５０の下部は供給パイプ３８と連通している。復水路５０の上部にはミスト誘導筒５１が連結されている。そして、ミスト誘導筒５１で結露した水は復水路５０に還流される。
【００２９】
また、ミスト発生本体４７の左側の開口は、上下方向に延びる薄平板状のヒータ４６によって閉塞されている。ヒータ４６は、一例として、ＰＴＣ（positive temperature coefficient）素子からなる。そして、ヒータ４６とミスト発生本体４７との間に形成される空間域が沸騰室５３となる。この沸騰室５３の下部は、ミスト発生本体４７の下側に形成された下側通路５４を通じて復水路５０と連通している。そして、給水タンク２２から供給パイプ３８に送出された水は、復水路５０及び下側通路５４を介して沸騰室５３に供給される。その結果、沸騰室５３に供給された水は、ヒータ４６によって加熱されて沸騰して高温の温ミストとなる。
【００３０】
なお、下側通路５４における沸騰室５３側の端部には、下側通路５４の開口を拡開する縦溝５５が形成されている。その結果、下側通路５４内の水には復水路５０側から沸騰室５３側に向けて流動するように毛管力が作用するため、下側通路５４内に水が停滞することが抑制される。
【００３１】
なお、ヒータ４６とミスト発生本体４７との間にはヒータパッキン５６が設けられており、このヒータパッキン５６によって沸騰室５３が水密状に封止されている。また、ヒータ４６には、図示しない温度センサが設けられており、この温度センサからの検出信号は制御装置４５に出力される。そして、制御装置４５は、温度センサが所定以上の温度を検出した場合に、ヒータ４６への通電を停止させる。
【００３２】
また、沸騰室５３の下部には、吸水性を有するボイラーフェルト５７が設けられている。ボイラーフェルト５７は、ヒータ４６の加熱面に接触しており、沸騰室５３の壁面を伝って垂下する結露水を吸収する。そして、ボイラーフェルト５７に吸収された水は、ヒータ４６との接触面を通じて徐々に蒸発する。
【００３３】
また、沸騰室５３の上部は、ミスト発生本体４７の上側に形成された上側通路５８を通じて復水路５０と連通している。そして、沸騰室５３で発生した温ミストは復水路５０を通じてミスト誘導筒５１に供給される。なお、沸騰室５３における上側通路５８の開口部にはボイラーメッシュ５９が取着されている。このボイラーメッシュ５９は、沸騰室５３内で突沸により生じる大きな気泡を分解することにより、気泡が破裂する際に生じる湯滴がミスト誘導筒５１を通じてミストノズル１７から飛散することを抑制する。
【００３４】
図４に示すように、ミスト誘導筒５１の上端部には、シリコンゴム等の軟質材料が蛇腹状に形成された蛇腹部材６０の下端部が連結されている。また、蛇腹部材６０の上端部は、略円筒状に形成されたノズルホルダ６１に連結されている。ノズルホルダ６１は、ミストノズル１７の内側にミスト放出口１８を囲むように固着された略円環状のノズルパッキン６２に連結されている。そのため、ヒータ４６により発生した温ミストは、ミスト誘導筒５１及び蛇腹部材６０を通じてミスト放出口１８から放出される。
【００３５】
なお、図２に示すように、ミスト誘導筒５１内には放電部６３が設けられている。放電部６３は、制御回路６４（図７参照）に接続された一対の放電針６５と、各放電針６５の間に配設される中間電極６６とから構成されている。そして、放電部６３では、ミストの経路に面するように設置された放電針６５からの高圧放電によって温ミストが微細化される。また、放電針６５の周囲には、吸水性を有する放電フェルト（図示略）が設けられている。放電フェルトは、放電針６５の先端に付着した結露水を吸収することにより、放電針６５からの放電を良好に行わせる。
【００３６】
また、美容器本体１２におけるミスト発生ユニット４２の前方には、帯電微粒子液体発生機構２６が設けられている。帯電微粒子液体発生機構２６にはファン７０が設けられており、このファン７０は図示しない吸気口を通じて取り込んだ空気を上方に延びる送風パイプ７１に送風する。この場合、ファン７０から送風される空気は、送風パイプ７１から帯電微粒子液体放出口２７に送られるが、その一部は副流路（図示略）を通じて静電霧化部７２に供給される。そして、静電霧化部７２は、送風された空気とともに、静電霧化により生成された帯電微粒子液体を送風パイプ７１に還流させる。その結果、帯電微粒子液体放出口２７から帯電微粒子液体が噴出される。なお、送風パイプ７１の先端部近傍の内周面には消音材７３が設けられている。
【００３７】
さて、本実施形態の美容器１０は、ノズルガード２１の回動に連動してミストノズル１７が回動するように、ノズルガード２１とミストノズル１７とが連結されている。このノズルガード２１とミストノズル１７との連結構造について以下説明する。
【００３８】
図５及び図６に示すように、ノズルガード２１において回動中心となる基端部の左右両側には一対のリブ８０，８１が延設されており、この一対のリブ８０，８１には断面矩形状の貫通孔８０ａ，８１ａがそれぞれ形成されている。
【００３９】
図５に示すように、この一対のリブ８０，８１のうち、一方側（本実施形態では左側）のリブ８０の貫通孔８０ａには、第１の歯車としての左ヒンジピン８２が嵌合されている。左ヒンジピン８２は、略扇形形状をなしており、その径中心から左方に水平に延びる矩形柱状の軸部８３がリブ８０の貫通孔８０ａを貫挿して美容器本体１２に回動自在に支持されている。そのため、左ヒンジピン８２の軸部８３はノズルガード２１の回動軸として機能する。そして、ノズルガード２１が回動した場合には、リブ８０の貫通孔８０ａの孔縁が左ヒンジピン８２の軸部８３に係合することにより、左ヒンジピン８２がノズルガード２１と一体となって軸部８３を中心として回動する。また、左ヒンジピン８２の外周面には、軸部８３の軸線方向に長く延びる複数の歯部８４が軸部８３を中心とした周方向に等間隔に形成されている。この左ヒンジピン８２の歯部８４は、左ヒンジピン８２の前方斜め下方に設けられた第３の歯車としてのリンクギア８５に対して噛合している。
【００４０】
リンクギア８５は、略円板状をなしており、その径中心が美容器本体１２から左右に水平に延びる軸部（図示略）によって回動自在に支持されている。そのため、リンクギア８５は、左ヒンジピン８２の軸部８３の軸線方向に延びる回動軸線Ｓ１を中心として回動可能に構成されている。このリンクギア８５の外周面には、左ヒンジピン８２の歯部８４に噛合する第１の歯部８６が軸部８３の軸線方向に長く延びるように形成されている。
【００４１】
なお、左ヒンジピン８２の歯部８４のうち、図５における左ヒンジピン８２の軸部８３を中心とした反時計周り方向において最も前方側に位置する前方側歯部８４ａは、他の後方側歯部８４ｂよりも軸部８３の軸線方向における歯幅が大きく設定されている。また、リンクギア８５の第１の歯部８６における歯溝のうち、図５におけるリンクギア８５の回動軸線Ｓ１を中心とした時計周り方向において最も前方側に位置する前方側歯溝８７ａは、他の後方側歯溝８７ｂよりもリンクギア８５の回動軸線Ｓ１の軸線方向における溝幅が大きく設定されている。すなわち、リンクギア８５の前方側歯溝８７ａは、リンクギア８５の回動軸線Ｓ１の軸線方向における溝幅が左ヒンジピン８２の前方側歯部８４ａの歯幅に対応して設定され、且つ、リンクギア８５の後方側歯溝８７ｂは、リンクギア８５の回動軸線Ｓ１の軸線方向における溝幅が左ヒンジピン８２の後方側歯部８４ｂの歯幅に対応して設定されている。そのため、左ヒンジピン８２とリンクギア８５との噛み合い位置が所望の位置からずれた場合には、左ヒンジピン８２において歯幅が相対的に大きく設定された前方側歯部８４ａは、リンクギア８５において溝幅が相対的に小さく設定された後方側歯溝８７ｂに対して噛合することができない。
【００４２】
また、ミストノズル１７の左側部には、略平板状をなす第２の歯車としての延出部９０が後方斜め下方に延設されている。この延出部９０には、ミストノズル１７の回動軸線Ｓ２の軸線方向に長く延びる歯部９１が形成されている。そして、延出部９０の歯部９１は、リンクギア８５の外周面において第１の歯部８６に対して回動軸線Ｓ１を中心とした周方向においてほぼ半周ずれた位置に形成された第２の歯部９２に対して噛合可能に構成されている。すなわち、延出部９０は、リンクギア８５を挟んで左ヒンジピン８２とは反対側に位置している。
【００４３】
なお、リンクギア８５の外周面は、リンクギア８５の回動軸線Ｓ１を中心とした周方向において、左ヒンジピン８２に噛合する第１の歯部８６と延出部９０に噛合する第２の歯部９２との間の部分が、リンクギア８５の回動軸線Ｓ１を中心とした周方向に沿う円弧部９３となっている。この円弧部９３は、図５におけるリンクギア８５の回動軸線Ｓ１を中心とした時計周り方向において第２の歯部９２よりも前方側に位置している。すなわち、円弧部９３は、閉位置から開位置へのノズルガード２１の回動時における左ヒンジピン８２に連動して回動するリンクギア８５の回動方向において第２の歯部９２よりも回動方向前方側に配置される。そして、リンクギア８５は、延出部９０に対して噛合する歯部が形成された第２の歯部９２を噛合部として有すると共に、延出部９０に対して噛合する歯部が形成されない円弧部９３を非噛合部として有している。また、リンクギア８５の外周面には、リンクギア８５の回動軸線Ｓ１を中心とした周方向における第２の歯部９２と円弧部９３との間となる位置に、リンクギア８５の回動軸線Ｓ１を中心とした径方向内側に凹設された凹溝９４が形成されている。
【００４４】
また、延出部９０には、図５におけるミストノズル１７の回動軸線Ｓ２を中心とした反時計周り方向においてリンクギア８５に噛合する歯部９１よりも前方側となる位置に、湾曲凹部９５が形成されている。この湾曲凹部９５は、リンクギア８５の円弧部９３に沿うように、ミストノズル１７の回動軸線Ｓ２を中心とした径方向内側に凹状に湾曲している。また、湾曲凹部９５におけるミストノズル１７の回動軸線Ｓ２を中心とした反時計周り方向での後端部には、ミストノズル１７の回動軸線Ｓ２を中心とした径方向外側に突出した凸部９６が形成されている。この凸部９６は、リンクギア８５の外周面に形成された凹溝９４に対応する位置に形成されている。
【００４５】
また、リンクギア８５の外周面には、リンクギア８５の回動軸線Ｓ１を中心とした周方向における円弧部９３と第１の歯部８６との間となる位置に凹部９７が形成されており、この凹部９７に略扇形状をなす係合片９８が嵌合されている。この係合片９８は、リンクギア８５の外周面から回動軸線Ｓ１を中心とした径方向外側に突出しており、リンクギア８５の回動に伴ってリンクギア８５と一体となって回動軸線Ｓ１を中心とした周方向に移動する。また、この係合片９８の移動経路上には、ノズルガード２１の開閉動作を検知するための開閉検知マイクロスイッチ９９が設けられている。
【００４６】
また、リンクギア８５の外周面には、リンクギア８５の回動軸線Ｓ１を中心とした周方向における第１の歯部８６と第２の歯部９２との間となる位置に突起部１００が形成されている。そして、リンクギア８５が回動軸線Ｓ１を中心として回動すると、リンクギア８５の突起部１００が美容器本体１２に設けられた凸部１０１を乗り上げる。
【００４７】
また、図６に示すように、ノズルガード２１に設けられた一対のリブ８０，８１のうち、他方側（本実施形態では右側）のリブ８１の貫通孔８１ａには右ヒンジピン１１０が嵌合されている。右ヒンジピン１１０は、略扇形形状をなしており、その径中心から右方に水平に延びる矩形柱状の軸部１１１がリブ８１の貫通孔８１ａを貫挿して美容器本体１２に回動自在に支持されている。そのため、右ヒンジピン１１０の軸部１１１はノズルガード２１の回動軸として機能する。そして、ノズルガード２１が回動した場合には、リブ８１の貫通孔８１ａの孔縁が右ヒンジピン１１０の軸部１１１に係合することにより、右ヒンジピン１１０がノズルガード２１と一体となって軸部１１１を中心として回動する。
【００４８】
また、右ヒンジピン１１０の外側面には凸部１１２が形成されており、この凸部１１２にはねじりバネ１１３の一端が連結されている。また、ねじりバネ１１３の他端は、美容器本体１２に設けられた凸部１１４に連結されている。
【００４９】
次に、美容器１０の電気的構成について説明する。
図７に示すように、制御装置４５は、制御回路６４と、この制御回路６４に電気的に接続される表示回路１２０及び帯電微粒子液体発生機構用回路１２１とを有している。
【００５０】
制御回路６４は、ミスト発生ユニット４２のヒータ４６と、電源ボタン２３に連結された電源ボタンスイッチ１２２と、放電部６３の放電針６５と、電源供給用の電源コード（図示略）とに電気的に接続されている。
【００５１】
表示回路１２０は、モード切替ボタン２４に連結されたモード切替スイッチ１２３と、運転制御ボタン２５に連結された運転制御スイッチ１２４と、温ミスト表示ＬＥＤ１２５と、毛先ケアモード表示ＬＥＤ１２６と、静電霧化モード表示ＬＥＤ１２７と、異常検知ＬＥＤ１２８とを備えている。そして、表示回路１２０は、ミスト発生ユニット４２の温度センサと、傾斜検知マイクロスイッチ４４と、開閉検知マイクロスイッチ９９とに電気的に接続されている。
【００５２】
なお、異常検知ＬＥＤ１２８は、温ミストモードで傾斜検知マイクロスイッチ４４が美容器１０の浮きを検知した場合や、ミスト発生ユニット４２の温度センサが異常な高温を検知した場合に点灯することにより、美容器１０に異常が生じたことを使用者に知らせる。
【００５３】
次に、上記のように構成された美容器１０の作用について、特に、ノズルガード２１が閉位置から開位置に回動する際の作用に着目して以下説明する。
さて、図８に示すように、ノズルガード２１が閉位置に配置された状態では、左ヒンジピン８２の歯部８４がリンクギア８５の第１の歯部８６に対して噛合している。また、リンクギア８５の第２の歯部９２は、ミストノズル１７の延出部９０の歯部９１に対して噛合しておらず、リンクギア８５の円弧部９３がミストノズル１７の延出部９０の湾曲凹部９５に対して圧接している。
【００５４】
この場合、図９に示すように、右ヒンジピン１１０の凸部１１２は、右ヒンジピン１１０の軸部１１１と美容器本体１２の凸部１１４とを結ぶ直線に対して後方に外れた位置に位置している。そして、右ヒンジピン１１０の凸部１１２と美容器本体１２の凸部１１４との間に縮設されたねじりバネ１１３の付勢力によって、ノズルガード２１が閉位置に保持される。
【００５５】
ここで、ノズルガード２１が閉位置から開位置に向けて回動し始めると、左ヒンジピン８２がノズルガード２１と一体となって図８における軸部８３を中心として上動する。すると、左ヒンジピン８２の回動は、左ヒンジピン８２に噛み合ったリンクギア８５に伝達されるため、リンクギア８５が図８における回動軸線Ｓ１を中心とした時計周り方向に回動する。
【００５６】
この場合、リンクギア８５の円弧部９３がミストノズル１７の延出部９０の湾曲凹部９５に対して摺動するため、リンクギア８５の回動がミストノズル１７の延出部９０には伝達されない。そのため、ノズルガード２１の回動がミストノズル１７には伝達されず、ノズルガード２１がミストノズル１７とは独立して回動する。なお、ノズルガード２１がミストノズル１７とは独立して回動する可動範囲では、リンクギア８５の円弧部９３がミストノズル１７の延出部９０の湾曲凹部９５に対して圧接した状態が維持される。そのため、ミストノズル１７が回動軸線Ｓ２を中心として回動することがリンクギア８５によって規制される。
【００５７】
そして、図１０に示すように、ノズルガード２１の回動操作に連動してリンクギア８５が更に回動すると、リンクギア８５の凹溝９４の内側面がミストノズル１７の延出部９０に設けられた凸部９６に対して回動軸線Ｓ２を中心とした周方向に係合する。その結果、リンクギア８５の回動が凸部９６を通じてミストノズル１７の延出部９０に伝達される。そのため、ミストノズル１７は、リンクギア８５の円弧部９３と延出部９０の湾曲凹部９５との圧接状態を解消するように、図１０における回動軸線Ｓ２を中心として上動する。すなわち、図１０に示すノズルガード２１の回動位置は、ミストノズル１７とは独立して回動する可動範囲と、ミストノズル１７と連動して回動する可動範囲との境界位置となる。
【００５８】
この場合、延出部９０の凸部９６は、ミストノズル１７の回動に伴ってリンクギア８５の回動軸線Ｓ１に対して接近するものの、凸部９６と凹溝９４の内底面との間には隙間が介在しているため、凸部９６は凹溝９４の内奥側に移動する。そのため、凸部９６がリンクギア８５の回動を干渉することが凹溝９４によって回避される。
【００５９】
また、図１０に示す位置までノズルガード２１が回動すると、リンクギア８５と一体となって回動する係合片９８が開閉検知マイクロスイッチ９９によって検知され、開閉検知マイクロスイッチ９９から制御装置４５に開放信号が出力される。そして、制御装置４５は、開閉検知マイクロスイッチ９９から開放信号が入力された時点で、ヒータ４６及び放電部６３への通電を許容する。
【００６０】
また、図１０に示す位置までノズルガード２１が回動すると、リンクギア８５の突起部１００が美容器本体１２に設けられた凸部１０１を乗り上げることで操作に抵抗感（クリック感）が生じる。そのため、本実施形態では、ノズルガード２１が、ミストノズル１７とは独立して回動する可動範囲と、ミストノズル１７と連動して回動する可動範囲との境界位置を通過する際に生じる抵抗感（クリック感）によって、温ミストを放出可能であることが使用者に認識される。
【００６１】
この場合、図１１に示すように、右ヒンジピン１１０の凸部１１２は、右ヒンジピン１１０の軸部１１１と美容器本体１２の凸部１１４とを結ぶ直線上に配置される。そのため、右ヒンジピン１１０の凸部１１２と美容器本体１２の凸部１１４との距離が最短距離となるため、ねじりバネ１１３の開き角度が最小となる。すなわち、ノズルガード２１が閉位置から境界位置まで回動する間は、ねじりバネ１１３は開き角度が減少するように圧縮されるため、ノズルガード２１はねじりバネ１１３から付勢力によって閉位置に保持される。したがって、本実施形態では、美容器１０の不使用時などに閉状態を維持することにより、埃などの異物がミストノズル１７に付着することが良好に抑制される。
【００６２】
また、図１２に示すように、ノズルガード２１の回動操作に連動してリンクギア８５が更に回動すると、リンクギア８５の第２の歯部９２がミストノズル１７の延出部９０に設けられた歯部９１に対して噛合する。すると、リンクギア８５の回動がリンクギア８５に噛み合ったミストノズル１７の延出部９０に伝達されるため、ミストノズル１７が図１２における回動軸線Ｓ２を中心として更に上動する。すなわち、図１２に示すノズルガード２１の回動位置では、ノズルガード２１はミストノズル１７と連動して回動する。
【００６３】
この場合、図１３に示すように、右ヒンジピン１１０の凸部１１２は、右ヒンジピン１１０の軸部１１１と美容器本体１２の凸部１１４とを結ぶ直線に対して前方に外れた位置に配置される。そのため、ノズルガード２１が境界位置に配置された場合と比較して、右ヒンジピン１１０の凸部１１２と美容器本体１２の凸部１１４の距離が大きくなるため、ねじりバネ１１３の開き角度が大きくなる。すなわち、ノズルガード２１が境界位置から開位置に回動する間は、ねじりバネ１１３は開き角度が増大するように弾性復帰するため、ノズルガード２１はねじりバネ１１３からの付勢力によって開位置に保持される。したがって、ノズルガード２１がミストノズル１７と連動して回動する可動範囲では、ねじりバネ１１３がノズルガード２１を自重に抗して下方から押し上げることにより、ノズルガード２１の回動（上動）がねじりバネ１１３によって補助される。
【００６４】
ところで、本実施形態では、ノズルガード２１がミストノズル１７と連動して回動する可動範囲では、ノズルガード２１の回動操作に伴って左ヒンジピン８２が回動すると、左ヒンジピン８２の回動がリンクギア８５を介してミストノズル１７の延出部９０に伝達される。この場合、リンクギア８５は、回動軸線Ｓ１と交差する方向に変位することなく回動軸線Ｓ１を中心として回動する。そのため、ノズルガード２１の回動操作時において、リンクギア８５を回動軸線Ｓ１と交差する方向に通過させるための空間域を確保することが不要となるため、装置全体の省スペース化が図られる。また、この場合、ノズルガード２１を回動操作することにより、ミストノズル１７からの温ミストの放出方向が調整される。したがって、温ミストの放出方向を調整する際に、使用者の手指がミストノズル１７に接近することが抑制される。
【００６５】
上記実施形態によれば、以下に示す効果を得ることができる。
（１）ノズルガード２１が回動操作されると、ノズルガード２１と一体となって回動する左ヒンジピン８２の回動がリンクギア８５を介してミストノズル１７の延出部９０に伝達されるため、ノズルガード２１とミストノズル１７とを連動して動作させることができる。この場合、リンクギア８５は、回動軸線Ｓ１の軸線方向と交差する方向に変位することなく回動軸線Ｓ１を中心として回動する。そのため、ノズルガード２１の回動操作時においてリンクギア８５を回動軸線Ｓ１と交差する方向に通過させるための空間域を確保することが不要となるため、装置全体の大型化を抑制することができる。
【００６６】
（２）リンクギア８５は、左ヒンジピン８２及びミストノズル１７の延出部９０に対して噛合することにより駆動連結されているため、左ヒンジピン８２の回動をリンクギア８５を介してミストノズル１７の延出部９０に確実に伝達することができる。
【００６７】
（３）ノズルガード２１が閉位置から開位置に向けて回動する際には、まず、リンクギア８５の円弧部９３がミストノズル１７の延出部９０に対向して配置される。そのため、ノズルガード２１の回動時において左ヒンジピン８２に連動してリンクギア８５が回動したとしても、このリンクギア８５の回動がミストノズル１７の延出部９０に伝達されない。したがって、ノズルガード２１とミストノズル１７とを独立して動作させることができる。また、ノズルガード２１が閉位置から開位置に向けて更に回動すると、リンクギア８５の第２の歯部９２がミストノズル１７の延出部９０に対して噛合する。そのため、ノズルガード２１の回動時において左ヒンジピン８２に連動してリンクギア８５が回動すると、このリンクギア８５の回動がミストノズル１７の延出部９０に伝達される。したがって、ノズルガード２１とミストノズル１７とを連動して動作させることができる。すなわち、ノズルガード２１は、ミストノズル１７とは独立して動作する可動範囲と、ミストノズル１７と連動して動作する可動範囲とを有する。したがって、ノズルガード２１の可動範囲の全域でノズルガード２１とミストノズル１７とが連動して動作する場合と比較して、ミストノズル１７の可動範囲を狭くすることができ、ミストノズル１７の周辺の構成をコンパクトにすることができる。
【００６８】
（４）ノズルガード２１が閉位置から開位置に向けて回動される際には、延出部９０の凸部９６がリンクギア８５の凹溝９４の内側面に対して係合する。そのため、ノズルガード２１の回動時において左ヒンジピン８２に連動してリンクギア８５が回動すると、このリンクギア８５の回動が凸部９６を介して延出部９０に伝達される。この場合、凸部９６と凹溝９４の内底面との間には隙間が介在しているため、凸部９６がリンクギア８５の回動軸線Ｓ１に対して接近するように回動した場合であっても、凸部９６がリンクギア８５の回動を干渉することが凹溝９４によって回避される。したがって、リンクギア８５の第２の歯部９２を延出部９０に確実に噛合させるようにリンクギア８５の回動を凸部９６を介して延出部９０に伝達しつつ、この凸部９６に起因してリンクギア８５の回動が干渉されることを抑制できる。
【００６９】
（５）左ヒンジピン８２とリンクギア８５との噛み合い位置が所望の位置からずれた場合には、ノズルガード２１が閉位置から開位置に向けて回動される際に、左ヒンジピン８２の前方側歯部８４ａがリンクギア８５の後方側歯溝８７ｂに対して噛合しようとする。この場合、左ヒンジピン８２において歯幅が相対的に大きく設定された前方側歯部８４ａは、リンクギア８５において溝幅が相対的に小さく設定された後方側歯溝８７ｂに対して噛合することができない。したがって、装置の組み付け時において、互いに決められた歯部と歯溝とを確実に噛合させることができるため、ノズルガード２１とミストノズル１７との連動を正確に行うことができる。
【００７０】
なお、上記実施形態は、以下のような別の実施形態に変更してもよい。
・上記実施形態において、左ヒンジピン８２は、前方側歯部８４ａが後方側歯部８４ｂよりも軸部８３の軸線方向における歯幅が小さく設定されてもよい。また、左ヒンジピン８２は、前方側歯部８４ａ及び後方側歯部８４ｂにおける軸部８３の軸線方向における歯幅が互いに等しく設定されてもよい。
【００７１】
・上記実施形態において、ミストノズル１７の延出部９０に湾曲凹部９５を設けない構成としてもよい。この場合、リンクギア８５には、湾曲凹部９５の後端部に設けられる凸部９６による干渉を回避するための干渉回避形状として凹溝９４を設けることが不要となる。
【００７２】
・上記実施形態において、リンクギア８５の円弧部９３は、閉位置から開位置へのノズルガード２１の回動時における左ヒンジピン８２に連動して回動するリンクギア８５の回動方向において第２の歯部９２よりも回動方向後方側に配置されてもよい。
【００７３】
・上記実施形態において、リンクギア８５に円弧部９３を設けることなく、ノズルガード２１の可動範囲の全域でリンクギア８５とミストノズル１７の延出部９０とを常に噛合させることにより、ノズルガード２１の可動範囲の全域でノズルガード２１とミストノズル１７とが連動して動作する構成としてもよい。
【００７４】
・上記実施形態において、リンクギア８５は、左ヒンジピン８２及び延出部９０に噛合することなく、左ヒンジピン８２及び延出部９０に駆動連結された他の歯車に噛合することにより、左ヒンジピン８２及び延出部９０に対して駆動連結される構成としてもよい。
【００７５】
・上記実施形態において、ミスト発生ユニット４２にて温ミストを生成する構成としたが、例えば温ミストよりも低温の冷ミストを生成する構成としてもよい。この場合、ミストノズル１７から冷ミストが放出される。
【００７６】
・上記実施形態において、温ミストが放出されるミストノズル１７を一つ設けたが、ミストノズル１７を二つ以上設けてもよい。
・上記実施形態において、ミストノズル１７と併せて、マイナスイオンやプラスイオンなどを放出するノズルや、保湿剤や美白剤などの薬剤を放出するノズルや、帯電微粒子液体を放出するノズルなどを設けるようにしてもよい。この場合、少なくともミストノズル１７に対してノズルガード２１が設けられていれば、上記実施形態と同様の効果を得ることができる。
【００７７】
・上記実施形態において、ヒータ４６で加熱して温ミストを生成するための液体として、保湿剤や美白剤などを含む液体や、芳香剤を含む液体を給水タンク２２に貯留してもよい。
【符号の説明】
【００７８】
１０…美容器（美容装置）、１７…ミストノズル、２１…保護具としてのノズルガード、４２…ミスト生成部としてのミスト発生ユニット、８２…第１の歯車としての左ヒンジピン、８４ａ…前方側歯部、８４ｂ…後方側歯部、８５…第３の歯車としてのリンクギア、８７ａ…前方側歯溝、８７ｂ…後方側歯溝、９０…第２の歯車としての延出部、９２…噛合部としての第２の歯部、９３…非噛合部としての円弧部、９４…凹溝、９６…凸部、Ｓ１…回動軸線、Ｓ２…回動軸線。
【図１】
0006011843.tif 000002
【図２】
0006011843.tif 000003
【図３】
0006011843.tif 000004
【図４】
0006011843.tif 000005
【図５】
0006011843.tif 000006
【図６】
0006011843.tif 000007
【図７】
0006011843.tif 000008
【図８】
0006011843.tif 000009
【図９】
0006011843.tif 000010
【図１０】
0006011843.tif 000011
【図１１】
0006011843.tif 000012
【図１２】
0006011843.tif 000013
【図１３】
0006011843.tif 000014